(57)【特許請求の範囲】
【請求項１】
生ゴミの投入口を上面に有する生ゴミ粉砕機（１）と、その生ゴミ粉砕機（１）で粉砕された生ゴミと給水管（１０）からの給水からなる懸濁液を貯留し固形物／液体の分離を行う沈殿槽（３）と、その沈殿槽（３）に連通し、分離された液体中の有機物を分解する高温好気性菌を付着させた菌付着体（５）と液体を加温するヒータ（８）とを有する生物分解槽（４）と、その生物分解槽（４）の上澄み液を排出する排水口（９）と、沈殿槽（３）の底部にたまった固形物の多い懸濁液を運搬するエアリフトポンプ（１４）と、その生物分解槽（４）の上部に設けられそのエアリフトポンプ（１４）で運搬された固形物の多い懸濁液から固形物のみを分離する分離カゴ（１５）とを備え、前記給水管（１０）の入水口が水道に直結され、出水口が前記生ゴミ粉砕機（１）に接続された箇所で弁（１２）によって閉止され、かつその間の部分が生物分解槽（４）の上に架けられて生物分解槽（４）から発生する熱と水道水との熱交換を行い、前記生ゴミ粉砕機（１）を起動したときにのみ前記弁（１２）が開口するように制御されていることを特徴とする生ゴミ処理装置。
【請求項２】
入水口と出水口の間の生物分解槽（４）の上に架けられた部分の給水管（１０）が、コイル状に設けられ、そのコイル状の給水管（１０）を覆う給水管カバー（１１）を設けたことを特徴とする請求項１に記載の生ゴミ処理装置。
【発明の詳細な説明】
【０００１】
【発明の属する技術分野】
本発明は、生ゴミ処理装置に関する。
【０００２】
【従来の技術】
台所や食品工場などで発生する生ゴミは、捨てるか田畑のこやしにするかあるいは業者に依頼して消却処理するなどの方法で処理されるが、生ゴミの処理量も増加しており、できれば家庭内で処分するか、あるいは減量することが必要である。
【０００３】
このような生ゴミの処理装置としては、生ゴミ粉砕機と微生物による分解処理を組み合わせたものがあり、例えば、図２に示すように、台所のシンク１３の排水口に接続された生ゴミ粉砕機１と、その生ゴミ粉砕機１で粉砕された生ゴミとシンクに流された水からなる懸濁液を貯留し固形物／液体の分離を行う沈殿槽３と、その沈殿槽３に連通し、分離された液体中の有機物を分解する高温好気性菌を付着させた菌付着体５と液体を加温するヒータ８とを有する生物分解槽４と、その生物分解槽４の上澄み液を排出する排水口９と、沈殿槽３の底部にたまった固形物の多い懸濁液を運搬するエアリフトポンプ１４と、その生物分解槽４の上部に設けられそのエアリフトポンプ１４で運搬された固形物の多い懸濁液から固形物のみを分離する分離カゴ１５とを備えているものが知られている。
【０００４】
【発明が解決しようとする課題】
ところで、このような生ゴミ処理装置は、生物分解を早めるために、ヒータ８を備えているので、電気の使用量が大きいという課題がある。
【０００５】
本発明は、エネルギー消費の抑制に優れた生ゴミ処理装置を提供することを目的とする。
【０００６】
【課題を解決するための手段】
本発明の生ゴミ処理装置は、生ゴミの投入口を上面に有する生ゴミ粉砕機１と、その生ゴミ粉砕機１で粉砕された生ゴミと給水管１０からの給水からなる懸濁液を貯留し固形物／液体の分離を行う沈殿槽３と、その沈殿槽３に連通し、分離された液体中の有機物を分解する高温好気性菌を付着させた菌付着体５と液体を加温するヒータ８とを有する生物分解槽４と、その生物分解槽４の上澄み液を排出する排水口９と、沈殿槽３の底部にたまった固形物の多い懸濁液を運搬するエアリフトポンプ１４と、その生物分解槽４の上部に設けられそのエアリフトポンプ１４で運搬された固形物の多い懸濁液から固形物のみを分離する分離カゴ１５とを備え、前記給水管１０の入水口が水道に直結され、出水口が前記生ゴミ粉砕機１に接続された箇所で弁１２によって閉止され、かつその間の部分が生物分解槽４の上に架けられて生物分解槽４から発生する熱と水道水との熱交換を行い、前記生ゴミ粉砕機１を起動したときにのみ前記弁１２が開口するように制御されていることを特徴とする。
【０００７】
このときに、入水口と出水口の間の生物分解槽４の上に架けられた部分の給水管１０が、コイル状に設けられ、そのコイル状の給水管１０を覆う給水管カバー１１を設ければ、加熱するエネルギーをより節約でき好ましい。
【０００８】
【発明の実施の形態】
生ゴミの投入口を上面に有する生ゴミ粉砕機１は、生ゴミを粉砕できるものであればどのようなものでも使用でき、粉砕した生ゴミが平均０．５〜１ｍｍ位の大きさになれば生物分解槽４で分解し易く好ましい。０．５ｍｍ未満であると、粉砕機１が目詰まりしやすく、１ｍｍを越えると沈殿槽３に沈殿する固形物が増加して生ゴミを減量するのが困難になる。
【０００９】
その生ゴミ粉砕機１で粉砕された生ゴミと給水管１０からの給水からなる懸濁液を貯留し固形物／液体の分離を行う沈殿槽３と、その沈殿槽３に連通し、分離された液体中の有機物を分解する高温好気性菌を付着させた菌付着体５と液体を加温するヒータ８とを有する生物分解槽４とは、従来の生ゴミ処理装置に使用していたものを用いることができる。この菌付着体５には、ポリエチレン樹脂、ポリプロピレン樹脂、ポリカーボネート樹脂、またはフェノール樹脂などの樹脂や、セラミックス、または活性炭などの耐熱性の高い無機材料が使用でき、その形状は、比表面積の大きい、多孔質体、ヘチマ状体、または網様筒状体などが好ましい。
【００１０】
その生物分解槽４の上澄み液を排出する排水口９と、沈殿槽３の底部にたまった固形物の多い懸濁液を運搬するエアリフトポンプ１４と、その生物分解槽４の上部に設けられそのエアリフトポンプ１４で運搬された固形物の多い懸濁液から固形物のみを分離する分離カゴ１５も、従来の生ゴミ処理装置に使用していたものを用いることができる。
【００１１】
給水管１０は、熱伝導性の高いものが好ましく、銅、鉄などが好ましく、銅であれば経済的でありより好ましい。そして、この給水管１０の形状は、生物分解槽４の上に架けられている範囲で、生物分解槽４から発生する熱を内部の水に伝える熱交換器の役割をしているので、生物分解槽４に面する面積をできるだけ広くすることが好ましく、つづら折れの状態や蛇管の形状であることが好ましい。また、コイル状に設け、そのコイル状の給水管１０を覆う給水管カバー１１を設ければ、加熱するエネルギーをより節約でき、より好ましい。
【００１２】
この給水管１０は、入水口が水道に直結され、出水口が生ゴミ粉砕機１に接続された箇所で弁１２によって閉止され、かつその間の部分が生物分解槽４の上に架けられ、生ゴミ粉砕機１を起動したときにのみ前記弁１２が開口するように制御されているので、弁１２が閉止している間は、水が弁１２のところまで詰まっており、生物分解槽４で発生した熱を蓄熱することができる。
【００１３】
【実施例】
図１に示すように、この実施例の生ゴミ処理装置は、台所の窓の外に設けられ、シンク１３に近いところに、生ゴミの投入口を上面に有する生ゴミ粉砕機１が位置するように設けられ、その生ゴミ粉砕機１で粉砕された生ゴミは、粉砕するときに給水管１０から供給された水と混合され、懸濁液となって、移流管２を流れて、沈殿槽３に貯留される。
【００１４】
沈殿槽３に貯留された固形物が沈殿することによって液体との分離が行われ、その沈殿槽３に連通した生物分解槽４に流れ、高温好気性菌を付着させたポリエチレン樹脂製の多孔質体の菌付着体５と液体を５０℃に加温するヒータ８とで有機物を分解し、その生物分解槽４の上澄み液を排水口９から放流される。このときに、散気管７に、ブロワ６から新鮮な空気が送られ、高温好気性菌をより活発にする。
【００１５】
沈殿槽３の底部にたまった固形物は、水分と一緒に懸濁液として、ブロワ６で駆動されたエアリフトポンプ１４で運搬され、その生物分解槽４の上部に設けられた分離カゴ１５に固形物だけが残り、液体は分離カゴ１５の網目から生物分解槽４に流れ落ち、生物分解槽で分解できない固形物が圧縮された生ゴミとして分離カゴ１５から捨てられる。
【００１６】
前記給水管１０の入水口は水道に直結され、出水口が前記生ゴミ粉砕機１に接続された箇所で弁１２によって閉止されているので、水は給水管１０の中に詰まった状態で、生物分解槽４の上に架けられ、この給水管１０の形状がコイル状にしてあり、そのコイル状の給水管１０をプラスチック製の給水管カバー１１で覆っているので、ヒータで加温された熱と生物の分解熱の放熱を交換して水を加温する。
【００１７】
この水が、前記生ゴミ粉砕機１を起動したときにのみ前記弁１２が開口して加温された水で生ゴミの粉砕物と懸濁するので、熱の再利用が行われる。
【００１８】
この熱の再利用の効果は、従来の図２に示す生ゴミ処理装置において、２４時間で生物分解槽４を５０℃に保つのに必要だったエネルギーが９７００ｋｃａｌであったのに対して、同じ容量で、同じ温度に保つのに、この実施例では、８３００ｋｃａｌと、１５％も消費エネルギーを抑制することができた。
【００１９】
【発明の効果】
以上に説明したように、本発明によって、エネルギー消費の抑制に優れた生ゴミ処理装置を提供することができる。
【図面の簡単な説明】
【図１】（ａ）は本発明の一実施例を説明するための上面図であり、（ｂ）はそのＡＡ断面図である。
【図２】（ａ）は従来例を説明するための上面図であり、（ｂ）はそのＡＡ断面図である。
【符号の説明】
１．生ゴミ粉砕機                    ２．移流管
３．沈殿槽                          ４．生物分解槽
５．菌付着体                        ６．ブロワ
７．散気管                          ８．ヒータ
９．排水口                          １０．給水管
１１．給水管カバー                  １２．弁
１３．シンク                        １４．エアリフトポンプ
１５．分離カゴ
【図１】
0004048554.tif 000002
【図２】
0004048554.tif 000003